(57)【特許請求の範囲】
【請求項１】
所定の軸回りに回動されることにより開閉され、閉状態にあるときは撮影光学系を通過する撮影光束の内、少なくとも光軸近傍の光束を遮光し、開状態にあるときは撮影光束の通過経路上から退避される、複数枚の内羽根と、
所定の軸回りに回動されることにより開閉され、閉状態にあるときは撮影光学系を通過する撮影光束の内、主に周辺部の光束を遮光し、開状態にあるときは撮影光束の通過経路上から退避され、上記複数枚の内羽根のそれぞれと略重なり合う、複数枚の外羽根と、
を具備しており、撮影光束の閉状態から開状態への移動過程の途中において、撮影光束の外周を決定する内縁が、前記内羽根の内縁部から前記外羽根の内縁部に切りかわることを特徴とする遮光装置。
【請求項２】
上記外羽根の移動速度が内羽根の移動速度よりも小さく設定されていることを特徴とする請求項１記載の遮光装置。
【発明の詳細な説明】
【０００１】
【産業上の利用分野】
この発明は、遮光装置、詳しくは撮影光学系の開口部を遮蔽もしくは開放する遮光装置に関するものである。
【０００２】
【従来の技術】
従来より、写真撮影を行なう小型カメラ等においては、遮光羽根の開閉用駆動レバーによって２枚の遮光羽根を同時に開閉し、この２枚の遮光羽根の内縁部によって所定の開口部を形成するようにしたレンズシャッタ機構が一般的に実用化されている。
【０００３】
また、３枚以上の遮光羽根を適用することで、この複数の遮光羽根の全開時（開放状態）における開口部の大きさに比べて、遮光羽根の退避スペースを小さくすることにより、シャッタ機構の小型化を図ったり、開口部の形状を改良するようにしたもの等について、種々の提案がなされている。
【０００４】
例えば、実公平６−３７４００号公報によって開示されている遮光羽根装置は、３枚の遮光羽根によって開口部の形状を円形形状に近い多角形状とするようにしたものである。
【０００５】
また、特開昭６４−５２６号公報に開示されているシャッタ機構は、撮影光学系の開口部の光軸近傍の光束を主に遮光する２枚の内羽根と、上記開口部の周辺部の光束を主に遮光する２枚の外羽根の４枚の遮光羽根を設けて、上記開口部の遮光を行なうようにすることで、上記各遮光羽根を小型化して、遮光羽根の全開時における収納スペースを少なくすると共に、シャッタ機構自体を小型化するようにしたものである。
【０００６】
一方、近年における小型カメラ等においては、撮影倍率の変倍機能を有する、いわゆる、ズームレンズ等が一般的に実用化されており、これらのズームレンズ等においては、カメラおよびレンズ等の小型化を考慮したレンズ設計が行なわれている。
【０００７】
上記ズームレンズ等においては、一般的に、同一の開放開口面積（開放時の開口部の面積）は、短焦点側においては、開放Ｆ値が小さくなり（即ち、レンズとして明るい。）、長焦点側においては、開放Ｆ値が大きくなる（即ち、レンズとして暗い。）傾向がある。
【０００８】
そこで、上記ズームレンズ等の設計を行なう際には、まず、長焦点側においてレンズの明るさ（より小さい開放Ｆ値）を確保するために、開放時の開口面積が決定されることとなる。上述のように、撮影光学系を構成するズームレンズ等が長焦点側に設定されている場合と比較して、短焦点側においては開放Ｆ値が小さくなる傾向にあるので、小さい開放Ｆ値（明るいレンズ）を充分に確保することができるが、この場合においては、反面、撮影光学系の解像性能を確保することが困難となる傾向がある。
【０００９】
そこで、上記撮影光学系のズームレンズの短焦点側における開放状態の場合においては、上記遮光羽根を開口部よりも外側に完全には退避させないようにして、上記開口部を遮光羽根の内縁部、もしくは、遮光羽根内縁部と開口部の双方によって形成するようにして、長焦点側にある場合と短焦点側にある場合とで、開口部の開口面積を変化させるようにすることが考えられる。
【００１０】
即ち、この場合においては、
短焦点側の開放時の開口面積＜長焦点側の開放時の開口面積
の関係を有するようにすることである。そして、短焦点側における開放Ｆ値を若干大きめに設定して、撮影光学系の解像性能を向上させることが可能となる。
【００１１】
このような場合においては、撮影光学系の変倍動作に連動して、遮光装置の開放状態を可変とする必要性が生じることとなる。
【００１２】
そこで、遮光羽根の開閉用駆動レバーの開側ストッパ部の位置を変倍動作に連動して変位させるようにすることで、開放状態における開口部の面積を変化させるようにした、いわゆる、ズーム連動開口部可変遮光装置についての提案が、種々なされている。
【００１３】
ところで、撮影光学系が、単焦点距離の光学系である場合には、上記遮光羽根の開閉用駆動レバーの開側ストッパ部の位置は、常に固定位置でよく、また、開放状態における開口面積も常に一定となるように設定されることとなる。
【００１４】
従って、遮光羽根の開閉用駆動レバーの開側ストッパ部の位置は、遮光羽根が開放状態の開口部よりも外側に完全に退避させると共に、さらに開側に対する若干のオーバーストローク量を有する位置に設定することができるので、開側ストッパ部の位置、駆動レバー、遮光羽根の位置、および、部材形状の誤差等を考慮しても、開放状態における開口面積を、常に精度良く決定することができることとなる。
【００１５】
また、上記遮光羽根の開閉用駆動レバーが開状態へと移動して、遮光羽根が開状態における位置を規定する開側ストッパ部に衝突することによって生じる、いわゆる、バウンド現象が発生する場合があるが、この場合においては、上記遮光羽根の開閉用駆動レバーがバウンドすることによって、上記遮光羽根が逆方向（閉側）に回動する量を、上記オーバーストローク量等に加味して考慮するようにすれば、開口面積の精度に悪影響を与えることはない。
【００１６】
このように、上記遮光羽根の開側に対するオーバーストローク量を見込んで、遮光羽根の開閉用駆動レバーの開側ストッパ位置を決定すれば、開口部の開放状態における開口面積を精度良く決定することができると共に、光学性能上も都合が良いものとなることが知られている。
【００１７】
他方、複数の遮光羽根を開閉させることで、上記遮光羽根が閉状態にあるときには、開口部の遮光を行なうと共に、上記遮光羽根が開状態にあるときには、開口部を開放して、フィルム面への露光が行なわれるようにしたシャッタ機構においては、上記遮光羽根が不用意に開状態となってしまうことにより、未露光フィルムに対して、撮影者（カメラの使用者）の意図に反して露光がなされてしまう等の事故を防止する必要があるが、このような事故等を防止するための提案が、例えば実開平２−５５２２４号公報等によってなされている。
【００１８】
上記実開平２−５５２２４号公報によって開示されているシャッタ機構は、焦点調節用等のレンズ群と一体的に光軸方向に移動するレンズシャッタ機構において、有効焦点調節範囲外に移動する際に、上記レンズシャッタ機構の開閉部材を閉鎖位置で係合する突出部を、カメラ本体の固定部材に配設し、シャッタが不用意に開口してしまうことを防止するようにしたものである。
【００１９】
【発明が解決しようとする課題】
ところが、実公平６−３７４００号公報、特開昭６４−５２６号公報等に開示されている手段によれば、遮光羽根の枚数が多くなることによって、遮光羽根が重なり合う部分の遮光が充分できず、漏光の可能性が大きくなるという問題点がある。
【００２０】
また、上記遮光羽根の開閉用駆動レバーの開側ストッパ位置を、撮影光学系のズームレンズ等の変倍動作に連動させて変位させるようにした、上記ズーム連動開口部可変遮光装置等においては、長焦点側にある場合には、開放口径可変機能を持たない上記シャッタ機構、即ち、撮影光学系が単焦点距離の光学系である場合と同様に、開放状態における開口面積を固定の開口部材において、精度良く決定することが可能であるが、短焦点側にある場合には、開放状態における開口部を遮光羽根の内縁部によって形成することとなるために、遮光羽根の開閉用駆動レバーが開側ストッパ部に衝突する、上記バウンド現象の発生が考えられ、開口面積の精度に悪影響を与え、露光量の精度にも影響を与えてしまうという問題が生ずることとなる。
【００２１】
また、低輝度時等において行なわれるストロボ等の使用時には、遮光羽根の開放状態においてのみ、ストロボ発光動作が行なわれる必要がある。このような場合に、遮光羽根の開閉用駆動レバーにバウンド現象が発生すると、開放状態における開口面積が安定しないので、ストロボ発光のタイミングを規制してしまうことも考えられる。
【００２２】
以上述べたように、上記ズーム連動開口部可変遮光装置における問題点は、３枚以上の複数の遮光羽根を有する遮光装置に対して、変倍動作に連動して開口部を変位させるようにする機能を盛り込もうとする場合にも、同様に生じるものである。
【００２３】
他方、上記実開平２−５５２２４号公報に開示されている手段によれば、シャッタ機構を撮影光学系を構成する焦点調節用レンズ等と一体的に構成する必要があるために、焦点調節用レンズ等が大きくなり重くなってしまうという問題点があると共に、撮影倍率の変倍機能を有するズームレンズ等に適用する場合においては、各構成部材が大型化することにより、占有スペースを多く必要とし、シャッタ機構自体の大型化となってしまうという問題点がある。
【００２４】
本発明の目的は、上記従来の問題点を解消するために、４枚の遮光羽根を有する遮光装置において、撮影光学系の変倍機能に連動して開口部を変位させることで、適用される撮影光学系の光学性能を落とすことなく、開放状態における開口部の開口精度を良好に確保することができると共に、適用される撮影光学系の小形化に寄与することのできる遮光装置を提供するにある。
【００２６】
【課題を解決するための手段】
本発明による遮光装置は、所定の軸回りに回動されることにより開閉され、閉状態にあるときは撮影光学系を通過する撮影光束の内、少なくとも光軸近傍の光束を遮光し、開状態にあるときは撮影光束の通過経路上から退避される、複数枚の内羽根と、所定の軸回りに回動されることにより開閉され、閉状態にあるときは撮影光学系を通過する撮影光束の内、主に周辺部の光束を遮光し、開状態にあるときは撮影光束の通過経路上から退避され、上記複数枚の内羽根のそれぞれと略重なり合う、複数枚の外羽根と、を具備しており、撮影光束の閉状態から開状態への移動過程の途中において、撮影光束の外周を決定する内縁が、前記内羽根の内縁部から前記外羽根の内縁部に切りかわることを特徴とする。
【００２７】
また、上記発明に係る遮光装置は、上記外羽根の移動速度が内羽根の移動速度よりも小さく設定されていることを特徴とする。
【００３２】
【実施例】
以下、図示の実施例によって本発明を説明する。
図１は、本発明の第１実施例の遮光装置が適用されたカメラ等の撮影光学系を有するレンズ鏡筒の縦断面図を示すものである。なお、上記カメラの撮影光学系には、変倍機能を有するズームレンズが適用されているものとし、図１において、上半部は上記レンズ鏡筒が広角（ワイド；Ｗｉｄｅ）側にある状態を、下半部は望遠（テレ；Ｔｅｌｅ）側にある状態をそれぞれ示しているものである。
【００３３】
まず、この第１実施例の遮光装置が適用される上記レンズ鏡筒について、その概略構成を、以下に説明する。
図１に示すように、上記撮影光学系を有するレンズ鏡筒内には、第１群レンズ１と第２群レンズ２が配設されており、この第１、第２群レンズ１，２のそれぞれの位置を、フィルム面（被写体像の結像面）に対して光軸方向に移動させることで、変倍動作が行なわれるようになっていると共に、この変倍動作と独立して、焦点調節用レンズである上記第１群レンズ１のみを光軸方向に移動させることで、焦点調節が行なわれるようになっている。
【００３４】
上記第１群レンズ１と第２群レンズ２は、それぞれ第１レンズ保持枠３と第２レンズ保持枠４とによって保持されており、この第１レンズ保持枠３は、互いに固着されて遮光装置１７を保持する遮光装置ベース部５，６の間に支持された第１シャフト１２によって摺動自在に配設されている。
【００３５】
また、上記遮光装置ベース部５には、上記第２レンズ保持枠４に一体的に構成された第２シャフト１３が嵌合する貫通孔が設けられている。
【００３６】
そして、このレンズ鏡筒を構成するカム枠７、ズーム枠８、ガイド枠９、固定枠１０、回転枠１１等は、それぞれの内周面もしくは外周面上に設けられた溝部およびカム溝等と、これら各溝等対応するピン等が係合して、上記レンズ鏡筒を構成する各枠等７〜１１をガイドすることによって、それぞれが連動し変倍（ズーミング）動作が行なわれることとなる（動作の詳細については、後述する。）。
【００３７】
一方、上記遮光装置１７は、撮影光学系を通過する撮影光束が入射する開口部１６と、この開口部１６を遮蔽または開放し光量を制限する複数の遮光羽根と、この遮光羽根を保持するカバー部１４と、上記遮光羽根の位置を規定する位置規定手段である開放開口部可変リング１５等によって構成されており、上記第１群レンズ１と第２群レンズ２との間において、上記遮光装置ベース部５に支持されて配設されている。
【００３８】
このように構成された上記レンズ鏡筒の撮影光学系によって行なわれる変倍（ズーミング）動作、および、焦点調節（フォーカシング）動作の概略について、以下に簡単に説明する。
まず、変倍（ズーミング）動作が行なわれる際には、カメラ本体に回動自在に配設されている回転枠１１に対して、カメラ本体内に設けられているズーム駆動手段（図示せず）等によって回転駆動力が伝達されることにより、上記回転枠１１が回転される。
【００３９】
上記回転枠１１の内周面側には光軸と平行に溝部（図示せず）が設けられており、この溝部とカム枠ピン７ａが係合していることにより、カム枠７が連動して回転する。
【００４０】
また、上記カム枠７のカム枠ピン７ｂは、カメラ本体に固定されている固定枠１０の内周面側に設けられているカム溝（図示せず）と係合しているので、上記カム枠７の回転に連動して光軸方向に移動されることとなる。
【００４１】
上記第１群レンズ１を保持する第１レンズ保持枠３は、上述したように、ズーム枠８に固定された上記遮光装置ベース部５，６の間に支持された第１シャフト１２に摺動自在に配設されており、上記ズーム枠８は、上記固定枠１０の光軸方向への移動に連動するガイド枠９によって光軸方向に直進するようにガイドされている。
【００４２】
そして、上記ズーム枠８の内周側に突出して設けられたズーム枠ピン８ａが、上記カム枠７の外周面に設けられたカム溝と係合していることにより、上記ズーム枠８は上記カム枠７の回転に連動して、このカム枠７に対して光軸方向に相対的に移動されることとなる。
【００４３】
一方、上記第２群レンズ２を保持する第２レンズ保持枠４の外周面上に設けられた第２レンズ保持枠ピン４ａは、上記カム枠７の端部の内周面側に設けられたカム溝と係合しており、上記カム枠７の回転に連動して上記第２レンズ保持枠４が回転され、上記カム枠７に対して光軸方向に相対的位置の移動が行なわれることとなる。
【００４４】
また、上記第２群レンズ２を保持する第２レンズ保持枠４には、上述のように、上記第２シャフト１３の一端部が植設されており、この第２シャフト１３の他端部が上記遮光装置ベース部５，６に穿設された貫通孔に嵌合している。これによって、光軸方向に直進するようにガイドされている。
【００４５】
このようにして、上記回転枠１１の回動動作に連動して、上記固定枠１０の内周面カム、カム枠７の外周面カムと内周面カムの形状に従って、上記第１群レンズ１、および、第２群レンズ２が光軸方向に移動されて、上記撮影光学系による変倍（ズーミング）動作が行なわれる。
【００４６】
次に、上記レンズ鏡筒の撮影光学系による焦点調節（フォーカシング）動作が行なわれる際には、上述のように焦点調節用レンズである上記第１群レンズ１のみを移動させることとなる。
即ち、上述したように、上記遮光装置ベース部５，６とは互いに固着されており、遮光装置１７を保持するようになっていると共に、上記遮光装置ベース部５，６の間には、上記レンズ鏡筒の光軸と平行に上記第１シャフト１２が支持されている。そして、この第１シャフト１２には、上記第１レンズ保持枠３が光軸方向に摺動自在に配設されている。
【００４７】
上記第１レンズ保持枠３が、上記遮光装置ベース部５，６に支持されて、駆動手段（図示せず）等によって駆動されることで、上述の変倍（ズーミング）動作とは独立して、上記第１群レンズ１のみをレンズ鏡筒の光軸方向に移動させることで焦点調節動作が行なわれる。
【００４８】
一方、上記レンズ鏡筒内における上記第１実施例の遮光装置１７は、上述のように、上記第１群レンズ１と第２群レンズ２との間において、上記遮光装置ベース部５の後方側に配設されている。
【００４９】
そして、上記遮光装置１７は、上記遮光装置ベース部５，６に固定されている遮光装置駆動手段（図示せず）等によって駆動されることによって、複数の遮光羽根等による開口部１６の開閉動作が行なわれるようになっている。
【００５０】
つまり、上記遮光装置に配設される複数の遮光羽根（詳細は後述する。）は、上記遮光装置ベース部５の後面側に設けられた基部５ａにおいて回動自在に軸支されると共に、上記カバー部１４によって挟持され、光軸方向への位置が規定されている。
【００５１】
また、上記遮光装置１７には、開口部１６が設けられており、上記複数の遮光羽根の全開時における開口面積が高精度に確保されるように構成されている。
【００５２】
そして、上記カバー部１４には、上記遮光羽根の位置を規定する位置規定手段である開放開口部可変リング１５が回動自在に支持されており、この開放開口部可変リング１５は、上記第２レンズ保持枠４に設けられた駆動ピン４ｂによって回転駆動される。これによって、上記レンズ鏡筒の変倍（ズーミング）動作に連動して、上記遮光羽根の全開時における開口面積を変更することができるようになっている。
【００５３】
図２、図３は、上記第１実施例の遮光装置１７の詳細な構成、および、その動作について説明する図であって、図２は、この遮光装置１７の開口部１６が複数の遮光羽根によって遮蔽されている閉状態を、また、図３は、この遮光装置１７の複数の遮光羽根が開口部１６の外側に退避された開状態を、それぞれ示す図である。また、図４は、上記第１実施例の遮光装置１７の概略構成を示す図であって、上述の図１における遮光装置１７近傍を拡大して示す要部拡大縦断面図である。
【００５４】
なお、後述するように、この第１実施例の遮光装置においては、一対の内羽根と一対の外羽根との４枚の遮光羽根を有しており、これらが互いに逆方向に移動されることによって、開口部１６を開閉するようになっているものであるが、図２、図３においては、図面の繁雑化を避けるために、上記一対の内羽根と上記一対の外羽根とを、それぞれ一方の側のみ図示し、他方の側については、略対称位置に配設されるものとして、その図示を省略している。
【００５５】
図２〜図４に示すように、この第１実施例の遮光装置１７は、互いに逆方向に移動されることにより開閉され、閉状態にあるときは撮影光学系を通過する撮影光束の内の光軸近傍の光束を遮光し、開状態にあるときは撮影光束の通過経路上から退避される一対の内羽根１７ｂ，１７ｃ（図２、図３においては、実線によって示している。）と、互いに逆方向に移動されることにより開閉され、閉状態にあるときは撮影光学系を通過する撮影光束の内、主に周辺部の光束を遮光し、開状態にあるときは撮影光束の通過経路上から退避され、上記一対の内羽根１７ｂと略重なり合う一対の外羽根１７ａ，１７ｄ（図２、図３においては、破線によって示している。）とを有しており、上記一対の内羽根１７ｂ，１７ｃ、および、上記一対の外羽根１７ａ，１７ｄの光軸方向における配置は、図４に示すように、光軸方向、即ち、上記遮光装置ベース部５の基部５ａ側よりフィルム面（被写体結像面）側に向けて、外羽根１７ａ、内羽根１７ｂ、内羽根１７ｃ、外羽根１７ｄの順に配置されている。
【００５６】
上記４枚の遮光羽根、即ち、上記一対の内羽根および一対の外羽根１７ａ〜１７ｄは、上記遮光装置ベース部５の基部５ａに、それぞれの回転中心１８ａ〜１８ｄにおいて回動自在に軸支されている。
【００５７】
また、上記４枚の遮光羽根には、上記回転中心１８ａ〜１８ｄの近傍にカム溝がそれぞれ穿設されている。即ち、図２、図３においては、内羽根１７ｂにおいて内羽根カムであるカム溝１３ｂが、外羽根１７ａにおいて外羽根カムであるカム溝１３ａがそれぞれ穿設されており、また、図２、図３において図示されていない他の遮光羽根である内羽根１７ｃと外羽根１７ｄには、それぞれカム溝１３ｃ，１３ｄが穿設されている。
【００５８】
そして、上記カム溝１３ａ〜１３ｄは、羽根駆動レバー１９の一端部に植設されている駆動ピン２０によって同軸上に係合されている。これによって、上記羽根駆動レバー１９を駆動する駆動手段（図示せず）等により、羽根駆動レバー１９がその回転軸１９ａを中心として駆動されることで、上記４枚の遮光羽根は、各回転中心１８ａ〜１８ｄを中心として同時に回動されて、上記４枚の遮光羽根は、開口部１６を開閉するようになっている。
【００５９】
このとき、上記一対の内羽根１７ｂ，１７ｃおよび一対の外羽根１７ａ，１７ｄのうち、図２、図３に図示されている内羽根１７ｂと外羽根１７ａは、上記回転中心１８ｂ，１８ａを中心に、閉動作の際には反時計方向にそれぞれ回動して開口部１６を遮蔽し、開動作の際には時計方向にそれぞれ回動して開口部１６の外側に退避して重ね合わされることで開口部１６を開放する一方、図２、図３に図示されていない内羽根１７ｃと外羽根１７ｄは、上記回転中心１８ｃ，１８ｄを中心に、閉動作の際には時計方向に回動して開口部１６を遮蔽し、開動作の際には反時計方向にそれぞれ回動して開口部１６の外側に退避して重ね合わされることで開口部１６を開放するようになっている。
【００６０】
なお、上記４枚の遮光羽根によって、開口部１６を遮蔽する際に、その開口面積が大きい場合においては、上記一対の外羽根１７ａ，１７ｄの内縁部によって絞り開口が決定されることとなる。
【００６１】
一方、上記４枚の遮光羽根によって開口部１６を遮蔽する際に、その開口面積を小さくする場合（小絞り時）においては、上記一対の内羽根１７ｂ，１７ｃの内縁部によって絞り開口が形成されることとなるが、このとき、開口面積を小さくする程、遮光羽根同士の隙間における漏光の影響を受けやすくなる傾向がある。また、遮光装置においては、一般に遮光羽根の枚数を増加させることによって、上記漏光が増大する可能性が生じやすくなる傾向にある。
【００６２】
そこで、この第１実施例の遮光装置１７においては、上述のように、小絞り時における開口部１６が、上記一対の内羽根１７ｂ，１７ｃの内縁部によって形成される場合において、上記一対の内羽根１７ｂ，１７ｃを互いに隣接するように配置して、上記小絞り時に発生する漏光を減少させるようになっている。
【００６３】
また、上記一対の内羽根１７ｂ，１７ｃの先端部は、開状態においても常に重なる状態を確保されるような形状となっており、上記４枚の遮光羽根の重なり順序は、常に確保されるようになっている。
【００６４】
また、図５は、上記遮光装置１７を支持する遮光装置ベース部５の羽根駆動レバー１９側から見た際の概略図である。なお、図５についても、図面の繁雑化を避けるために、上記４枚の遮光羽根１７ａ〜１７ｄを駆動する羽根駆動レバー１９の配置のみを示し、他の部材については省略して図示している。
【００６５】
図４、図５に示すように、上記羽根駆動レバー１９は、上記遮光装置ベース部５の基部５ａにおいて、上記遮光羽根１７ａ〜１７ｄが配設されている側とは反対側の面において、回転軸１９ａを中心として回動自在に支持されており、上記駆動ピン２０は、上記遮光装置ベース部５の基部５ａに設けられた孔部５ｂを貫通して、上述したように、上記４枚の遮光羽根１７ａ〜１７ｄのカム溝１３ａ〜１３ｄと係合されることで構成されている。
【００６６】
そして、上記羽根駆動レバー１９が駆動手段（図示せず）等によって駆動され、これに伴って上記駆動ピン２０が回動される際に、上記遮光装置ベース部５の基部５ａに設けられた上記孔部５ｂの上端部（開側ストッパ部Ｏ）と下端部（閉側ストッパ部Ｃ）とに、上記駆動ピン２０が当接することで位置決めがなされるようになっており、これによって、この駆動ピン２０に係合する上記各遮光羽根１７ａ〜１７ｄによって決定される開口部１６の開閉がなされる際の開状態と閉状態との位置が規定されるようになっている。
【００６７】
また、図４に示すように、上記遮光装置ベース部５の一端側に支持されているカバー部１４に対し、位置規定手段である開放開口部可変リング１５が回動自在に支持されており、この開放開口部可変リング１５は、上述の図１に示すように、上記第２レンズ保持枠４に設けられた駆動ピン４ｂによって回転駆動される。
【００６８】
これにより、上記開放開口部可変リング１５は、変倍（ズーミング）動作が行なわれる際には、上記第１レンズ保持枠３（第１群レンズ１）と一体的に移動するようになっている。
【００６９】
ここで、上記第１、第２群レンズ１，２は、上述したように、変倍動作に伴って、その光軸方向の位置が変位することとなるが、これと共に、上記第１、第２群レンズ１，２の相対的な間隔も変化するので、この第１、第２群レンズ１，２の間隔は、上記変倍動作時におけるズーミング位置に対応して一義的に決定されるような構成となっている。
【００７０】
即ち、変倍（ズーミング）動作時における、上記第１群レンズ１と一体的に移動する開放開口部可変リング１５と、上記第２レンズ保持枠４の駆動ピン４ｂの光軸方向における相対的な位置関係は、ズーミング位置に対応して一義的に決定されることとなる。
【００７１】
さらに、上記第２レンズ保持枠４の駆動ピン４ｂと、上記開放開口部可変リング１５とが係合する部分においては、その係合部がテーパー状に構成されており、上記開放開口部可変リング１５と、上記第２レンズ保持枠４の駆動ピン４ｂの光軸方向の相対的な位置に応じて、上記開放開口部可変リング１５の回転方向の位置を変更することができるようになっている。従って、上記開放開口部可変リング１５の回転方向における位置も、ズーミング位置に対応して一義的に決定されるようになっている。
【００７２】
また、図６、図７は、上記撮影光学系により変倍動作が行なわれる際の開放開口部可変リング１５と羽根駆動レバー１９の位置関係を示す図であって、図６は、撮影光学系が望遠（テレ）側にあるときの開放開口部可変リング１５の状態を示す図であり、図７は、撮影光学系が広角（ワイド）側にあるときの開放開口部可変リング１５の状態を示す図である。
【００７３】
この図６、図７によって、上記遮光装置１７の変倍動作が行なわれる際の開放開口部可変リング１５と羽根駆動レバー１９の位置関係について、以下に説明する。
【００７４】
まず、図６に示すように、上記撮影光学系が望遠（テレ）側にある場合には、開放開口部可変リング１５に設けられている開放開口部可変カム１５ａと駆動ピン２０の相対的な位置関係は、上記開放開口部可変カム１５ａが、遮光装置ベース部５の全開ストッパ位置Ｏより外側に位置している。従って、上記駆動ピン２０は、開放開口部可変リング１５の影響を受けずに、遮光装置ベース部５の孔部５ｂによって、その位置決めがなされるようになっている。
【００７５】
一方、図６の状態から、上記撮影光学系を広角側に変倍動作が行なわれると、上記開放開口部可変リング１５は反時計方向に回動されて、図７に示す状態となり、上記撮影光学系は広角側に移動する。この状態では、上記開放開口部可変リング１５の開放開口部可変カム１５ａと駆動ピン２０の相対的な位置関係は、上記開放開口部可変カム１５ａが、遮光装置ベース部５の全開ストッパ位置Ｏより内径側に位置している。従って、上記駆動ピン２０は、全開ストッパ位置Ｏに当接する以前に、開放開口部可変カム１５ａに当接し、これによって、その位置が規定され、上述の全開ストッパ位置Ｏよりも、閉側に寄った位置で停止することになる。
【００７６】
従って、上記羽根駆動レバー１９によって開閉される上記４枚の遮光羽根も、開口部１６より完全に退避することなく、開口部１６の周辺部を遮蔽した状態で開動作を停止することとなり、その開口面積は、上記図６によって説明した望遠時の開口部１６よりも小さい開口面積となるように設定されることとなる。
【００７７】
なお、上述のように、図６、図７においては、変倍動作時において、望遠側と広角側の両端部における位置関係について説明しているが、その中間のズーム位置においても、開放開口部可変カム１５ａの形状を変更することによって、その中間位置における開口部１６における絞り開口の大きさを任意に設定するようにすることが可能である。
【００７８】
このように上記一対の外羽根１７ａの開状態における位置を規定し、上記撮影光学系の変倍（ズーミング）動作に連動して、この位置を変更するようにした位置規定手段である開放開口部可変リング１５を配設し、これを、撮影光学系の変倍（ズーミング）動作に連動させて、上記４枚の遮光羽根の全開時における絞り開口の面積を、任意に変化させるような構成となっている。
【００７９】
ところで、上述したように、上記一対の内羽根１７ｂ，１７ｃは、閉状態にあるときは撮影光学系を通過する撮影光束のうち光軸近傍の光束、即ち、上記開口部１６の中心部付近を遮蔽するようになっており、開状態にあるときは、開口部１６の外側、即ち、撮影光束の通過経路上から退避されるようになっている。
【００８０】
そして、上記一対の内羽根１７ｂ，１７ｃが、閉状態から開状態に移動する際において、その初期段階にあるとき、即ち、開口部１６の開口面積が小さいとき（小絞り時）には、上記一対の内羽根１７ｂ，１７ｃの内縁部によって絞り開口が形成されるようになっている。
【００８１】
また、上記一対の外羽根１７ａ，１７ｄは、閉状態にあるときは撮影光学系を通過する撮影光束のうち、主に周辺部の光束、即ち、開口部１６の周辺部を遮蔽し、開状態にあるときは、上記一対の内羽根１７ｂ，１７ｃと略重なり合うようにして、開口部１６の外側、即ち、撮影光束の通過経路上から退避されるようになっている。
【００８２】
従って、上記一対の内羽根１７ｂ，１７ｃが、全閉状態にある場合と、全開状態にある場合、即ち、開口部１６の外側に退避されている状態にある場合との間を回動することにより移動する、即ち、開閉時の移動においては、その移動量および移動速度は、上記一対の外羽根１７ａ，１７ｄに比べて大きくなる。
【００８３】
また、上記一対の外羽根１７ａ，１７ｄは、閉状態にあるときは撮影光学系を通過する撮影光束のうち、主に周辺部の光束、即ち、開口部１６の周辺部を遮蔽し、開状態にあるときは、上記一対の内羽根１７ｂ，１７ｃと略重なり合うようにして、開口部１６の外側、即ち、撮影光束の通過経路上から退避されるようになっている。
【００８４】
閉状態にある場合は、上記一対の内羽根１７ｂ，１７ｃの外縁部と、開口部１６との間の隙間２１（図２参照。）を、上記一対の外羽根１７ａ，１７ｄによって遮蔽するようになっている。
【００８５】
従って、閉状態における上記一対の外羽根１７ａ，１７ｄの位置を、上記一対の内羽根１７ｂ，１７ｃの位置と比べて、全開時の退避位置に近い位置に設定し、上記一対の外羽根１７ａ，１７ｄの閉状態から開状態へ移動する際の移動量は、上記一対の内羽根１７ｂ，１７ｃに比べて小さくなるように設定されている。そして、上記一対の外羽根１７ａ，１７ｄが、羽根駆動レバー１９によって駆動される際の移動速度も、上記一対の内羽根１７ｂ，１７ｃと比べて低速度で移動するようにされている。
【００８６】
図８、図９は、上記羽根駆動レバー１９の動作と、上記一対の内羽根１７ｂ，１７ｃおよび一対の外羽根１７ａ，１７ｄの動作について概念的に示す図であって、図８は、開口部１６に形成される絞り開口の全閉状態から全開状態までの変化を示したものであり、図９は、羽根駆動レバー１９が開側ストッパ部Ｏによって位置規定される際の状態を示しているものである。
【００８７】
なお、図８、図９において、横軸には、羽根駆動レバー１９の回転位置（回転角）を、縦軸には、一対の内羽根１７ｂ，１７ｃおよび一対の外羽根１７ａ，１７ｄの内縁部によって形成される絞り開口の面積の変化を示すものである。
【００８８】
また、図８、図９においては、一対の内羽根１７ｂ，１７ｃの内縁部によって形成される開口部１６の面積変化（Ａ）を実線によって示し、一対の外羽根１７ａ，１７ｄの内縁部によって形成される開口部の面積変化（Ｂ）を破線によって、それぞれ示している。
【００８９】
この図８、図９によって、上記羽根駆動レバー１９の回転角と上記一対の内羽根１７ｂ，１７ｃおよび一対の外羽根１７ａ，１７ｄの回転角についての関係を、以下に説明する。
図８に示すように、上記羽根駆動レバー１９の動作に従って絞り開口は、上記一対の内羽根１７ｂ，１７ｃおよび一対の外羽根１７ａ，１７ｄによって完全に遮蔽されている状態（全閉ストッパ位置）から、主に一対の内羽根１７ｂ，１７ｃの内縁部によって絞り開口が形成されている状態（全閉ストッパ位置からθ１までの間。）、さらに、主に一対の外羽根１７ａ，１７ｄの内縁部によって絞り開口が形成されている状態（θ１からθ２までの間。）、そして、一対の内羽根１７ｂ，１７ｃおよび一対の外羽根１７ａ，１７ｄが共に、開口部１６の外側に退避されている状態（全開ストッパ位置）というように変化することとなる。
【００９０】
このとき、一対の内羽根１７ｂ，１７ｃと一対の外羽根１７ａ，１７ｄの相対的な動作は、駆動ピン２０の軌跡、各遮光羽根の回転中心１８ａ〜１８ｄの位置、各遮光羽根１７ａ〜１７ｄのカム溝１３ａ〜１３ｄの形状等によって総合的に決定されることとなるが、この第１実施例の遮光装置１７においては、上述したように、絞り開口の閉状態から開状態への移動過程において、上記一対の内羽根１７ｂ，１７ｃが、上記一対の外羽根１７ａ，１７ｄを追い越して移動するように構成されている。
【００９１】
また、開口部１６の全開時においては、一対の内羽根１７ｂ，１７ｃおよび一対の外羽根１７ａ，１７ｄが共に開口部１６の外側に退避されるが、この状態においては、一対の内羽根１７ｂ，１７ｃと一対の外羽根１７ａ，１７ｄの内縁部および外縁部が、略重なり合うように収納されることが、遮光装置の小型化を行なう上で有利となる。
【００９２】
従って、開状態への移動の際に、上記一対の外羽根１７ａ，１７ｄの内縁部を追い越した上記一対の内羽根１７ｂ，１７ｃの内縁部が、全開状態において、一対の外羽根１７ａ，１７ｄの内縁部と略重なり合うようにすることが望ましいこととなる。
【００９３】
これは、例えば、一対の内羽根１７ｂ，１７ｃのカム溝１３ｂ，１３ｃを、開口部１６の全開状態に相当する部分において屈曲させるような形状とし、羽根駆動レバー１９の動作に対して、一対の内羽根１７ｂ，１７ｃの移動速度を全開状態に近づくにつれて遅くなるように設定すること等によって可能となる。
【００９４】
次に、変倍（ズーミング）動作に応じた開口面積を変位させる場合には、上述したように、変倍（ズーミング）動作に伴って、回転方向に変化する開放開口部可変リング１５によって、羽根駆動レバー１９の開側ストッパの位置を変更することとなるが、この開側ストッパの変更範囲を、図８において、θ１からθ２の間で設定し、開口部１６の開口面積をＳ１〜Ｓ２の範囲で変位させるように設定されている。
【００９５】
ここで、上記θ１は、一対の内羽根１７ｂ，１７ｃの内縁部が一対の外羽根１７ａ，１７ｄの内縁部を追い越す時点の羽根駆動レバー１９の回転位置（回転角）であり、このときの開口面積をＳ１とする。
【００９６】
また、上記θ２は、一対の外羽根１７ａ，１７ｄの内縁部が開口部１６の外側に退避される時点の羽根駆動レバー１９の回転位置（回転角）であり、このときの開口面積をＳ２とする。なお、この開口面積Ｓ２は、開口部１６の全開状態の開口面積に等しいものである。
【００９７】
図９は、上記羽根駆動レバー１９が開放開口部可変カム１５ａによって規定された場合の位置をθ３とした場合を例示しており、このときの絞り開口の開口面積は、一対の外羽根１７ａ，１７ｄの内縁部によって形成されている状態であり、上述の開口面積Ｓ１，Ｓ２の範囲内におけるＳ３によって決定されることとなる。
【００９８】
このとき、図９に示すように、羽根駆動レバー１９が開放開口部可変カム１５ａに衝突するときの衝撃によってバウンドしてしまう可能性があり、この場合においては、一対の内羽根１７ｂ，１７ｃと一対の外羽根１７ａ，１７ｄは共に、その位置を変動させることとなる。
【００９９】
ここで、上述したように、羽根駆動レバー１９の回動量に対して、上記一対の外羽根１７ａ，１７ｄの移動量は、上記一対の内羽根１７ｂ，１７ｃの移動量に比べて小さくなるように設定されているので、上記羽根駆動レバー１９が開放開口部可変カム１５ａに衝突する際のバウンド等によって生じる開口面積の変化が露光量等に与える影響が抑えられるようになっている。
【０１００】
以上説明したように上記第１実施例によれば、上記開口部１６を遮光および開放する一対の遮光羽根を、一対の内羽根１７ｂ，１７ｃと一対の外羽根１７ａ，１７ｄの４枚構成としたことで、各遮光羽根自体の大きさをそれぞれ小型化することができると共に、上記開口部１６の開状態においては、上記一対の内羽根１７ｂ，１７ｃと一対の外羽根１７ａ，１７ｄが互いに重ね合わされて、上記開口部１６の外側に退避させるようにしたことで、遮光羽根の退避スペースを小さくすることができる。これにより、遮光装置の小形化に寄与することができると共に、これを適用するレンズ鏡筒全体の小型化にも寄与することができる。
【０１０１】
また、上記一対の内羽根１７ｂ，１７ｃを互いに隣接して配置するようにしたので、小絞り時における漏光を減少させることができる。従って、上記４枚の遮光羽根による光量制御の精度を向上させることができ、複数枚の遮光羽根を有する遮光装置の問題点である、遮光羽根同士の隙間の増加による漏光が増大する問題を最小限に抑えることができる。
【０１０２】
そして、上記一対の内羽根１７ｂ，１７ｃの先端部を伸ばした形状として、開状態における一対の内羽根１７ｂ，１７ｃ同士は常に重なる状態を確保されるように配置して、さらに、この一対の内羽根１７ｂ，１７ｃの両側に一対の外羽根１７ａ，１７ｄをそれぞれを配置するようにしているので、上記４枚の遮光羽根の開閉動作時においても、この４枚の遮光羽根の光軸方向の重なり順序を保持することができるので、常に良好な開閉動作を確保することができる。
【０１０３】
また、上記第１実施例においては、遮光羽根として、一対の内羽根１７ｂ，１７ｃと一対の外羽根１７ａ，１７ｄを設け、一対の内羽根１７ｂ，１７ｃにおける移動速度と移動量を一対の外羽根１７ａ，１７ｄよりも大きくし、一対の外羽根１７ａ，１７ｄの開側ストッパの位置を変倍動作に連動して変更でき、よって開口精度の高いズーム可変絞り装置を得ることが可能となる。
【０１０４】
図１０、図１１は、本発明の第２実施例の遮光装置の構成、および、動作について説明する図であって、図１０は、この遮光装置の開口部が複数の遮光羽根によって遮蔽されている閉状態を、また、図１１は、この遮光装置の複数の遮光羽根が開口部の外側に退避された開状態を、それぞれ示す図である。また、図１２は、外羽根１７Ａａに穿設されている外羽根カムであるカム溝１３Ａａ近傍を拡大して示す要部拡大図である。
【０１０５】
なお、上記第２実施例の遮光装置については、基本的に上述の第１実施例と同様の構成からなっているものであるが、この第２実施例においては、上記一対の外羽根のそれぞれを開方向に付勢し、その開動作の初期以降にこの一対の外羽根を移動させる付勢手段を、さらに具備した点が異なる。従って、上述の第１実施例と同様の部材については、同じ符合を付してその説明を省略する。
【０１０６】
また、図１０、図１１においては、上述の第１実施例と同様に、図面の繁雑化を避けるために、上記一対の内羽根と上記一対の外羽根とを、それぞれ一方の側のみ図示し、他方の側については、略対称位置に配設されるものとして、その図示を省略している。また、図１２においては、一対の外羽根１７Ａａ，１７Ａｄのうち、一方の外羽根１７Ａａのみについて図示しているが、他方の外羽根１７Ａｄについては略対称形状からなっているものであるので、その図示を省略している。
【０１０７】
図１０、図１１に示すように、この第２実施例の遮光装置においては、上述の第１実施例と同様に、一対の内羽根１７Ａｂ，１７Ａｃと一対の外羽根１７Ａａ，１７Ａｄとが配設されている。
【０１０８】
上記一対の内羽根１７Ａｂ，１７Ａｃ（図１０、図１１においては、実線によって示している。）は、互いに逆方向に移動されることにより開閉され、閉状態にあるときは撮影光学系を通過する撮影光束の内の光軸近傍の光束を遮光し、開状態にあるときは撮影光束の通過経路上から退避されるように構成されており、また、一対の外羽根１７Ａａ，１７Ａｄ（図１０、図１１においては、破線によって示している。）は、互いに逆方向に移動されることにより開閉され、閉状態にあるときは撮影光学系を通過する撮影光束の内、主に周辺部の光束を遮光し、開状態にあるときは撮影光束の通過経路上から退避され、上記一対の内羽根１７Ａｂと略重なり合うように構成されている。
【０１０９】
そして、上記一対の外羽根１７Ａａ，１７Ａｄには、付勢手段である付勢バネ２２がそれぞれ設けられており、上記一対の外羽根１７Ａａ，１７Ａｄを、それぞれ開方向に常に付勢されている。
【０１１０】
また、図１２に示すように、上記遮光羽根の開閉用羽根駆動レバー１９の駆動ピン２０と係合する上記一対の外羽根１７Ａａ，１７Ａｄのカム溝１３Ａａ，１３Ａｄ（１７Ａｄ，１３Ａｄについては図示せず。）は、従来の遮光装置における遮光羽根のカム溝（図１２において、点線で示す；符合１３）に対して、第１逃げ部２４および第２逃げ部２５を有する形状となっている。
【０１１１】
さらに、上記一対の外羽根１７Ａａ，１７Ａｄの外縁部には突起部２３が設けられており、この突起部２３と開放開口部可変リング１５（図示せず）の開放開口部可変カム１５ａ（図示せず）とが当接することにより、上述の第１実施例と同様に、撮影光学系の変倍動作に連動して上記一対の外羽根１７Ａａ，１７Ａｄの開側ストッパ位置を変位させ、これにより、遮光羽根の全開時における開口面積を変化させることができるようになっている。
【０１１２】
即ち、上記第２逃げ部２５は、上記一対の外羽根１７Ａａ，１７Ａｄの開側ストッパ位置が、全開状態より手前に設定されているときに、上記駆動ピン２０が退避する空間として形成されているものである。
【０１１３】
このように構成された上記第２実施例の遮光装置の動作について、以下に説明する。
図１３、図１４は、上記羽根駆動レバー１９の動作に対する、上記一対の内羽根１７Ａｂ，１７Ａｃおよび上記一対の外羽根１７Ａａ，１７Ａｄの動作について概念的に示す図であって、図１３は、開口部１６の全閉状態から全開状態までの変化を示したものであり、図１４は、羽根駆動レバー１９が開側ストッパ部によって位置規定される際の状態を示しているものである。
【０１１４】
なお、図１３、図１４においては、上述の図８、図９と同様に、横軸には、羽根駆動レバー１９の回転位置（回転角）を、縦軸には、一対の内羽根１７Ａｂ，１７Ａｃおよび一対の外羽根１７Ａａ，１７Ａｄの内縁部によって形成される絞り開口の面積の変化を示すものである。
【０１１５】
また、図１３、図１４においては、一対の内羽根１７Ａｂ，１７Ａｃの内縁部によって形成される絞り開口の面積変化（Ａ）を実線によって示し、一対の外羽根１７Ａａ，１７Ａｄの内縁部によって形成される絞り開口の面積変化（Ｂ）を破線によって、それぞれ示している。
【０１１６】
まず、上記遮光羽根が閉状態から開状態に移動される場合においては、上記駆動ピン２０は、開状態の初期段階において、上記第１逃げ部２４とカム結合されることとなる。そして、上記一対の外羽根１７Ａａ，１７Ａｄは、上記付勢バネ２２の付勢力によって、常に開方向へと付勢されているので、上記一対の外羽根１７Ａａ，１７Ａｄの開状態における位置は、上記第１逃げ部２４において規定されることとなる。
【０１１７】
このとき、羽根駆動レバー１９の開方向への駆動が開始されると、上記一対の外羽根１７Ａａ，１７Ａｄは、付勢バネ２２の付勢力によって、上記羽根駆動レバー１９の動作に先行して移動し、この状態のまま全開状態となる。
【０１１８】
また、上記一対の内羽根１７Ａｂ，１７Ａｃは、カム溝１３Ａｂ，１３Ａｃにおいて、上記羽根駆動レバー１９と常時カム結合しているので、この羽根駆動レバー１９の駆動力が伝達されることで、全開状態まで駆動されることとなる。これにより、上記開口部１６に形成される絞り開口は、常に一対の内羽根１７Ａｂ，１７Ａｃの内縁部において、主に形成されることとなる。（図１３参照）
一方、上記遮光羽根が開状態から閉状態に移動される場合においては、駆動ピン２０と一対の外羽根１７Ａａ，１７Ａｄのカム溝１３Ａａ，１３Ａｄのカム面２６とが係合することによって、上記一対の外羽根１７Ａａ，１７Ａｄが、上記付勢バネ２２の付勢力に抗して閉方向へと回動されて閉状態に移行することとなる。
【０１１９】
次に、撮影光学系による変倍動作が行なわれる際に、これに連動させて開口部の開口面積を変位させる場合には、変倍動作に伴って上記一対の外羽根１７Ａａ，１７Ａｄの開側ストッパ位置を変位させることとなるが、この場合において、上記一対の外羽根１７Ａａ，１７Ａｄの開側ストッパ位置を、羽根駆動レバー１９の回転角θ３とし、このときの絞り開口の開口面積をＳ３とした場合を、図１４に例示して、以下に説明する。
【０１２０】
図１４に示すように、一対の外羽根１７Ａａ，１７Ａｄが、一対の内羽根１７Ａｂ，１７Ａｃに先行して移動され、開側ストッパ位置に到達した時点における、上記一対の外羽根１７Ａａ，１７Ａｄの内縁部によって形成される絞り開口の開口面積はＳ３となっているが、この時点に到達するまでは、上記一対の内羽根１７Ａｂ，１７Ａｃの内縁部によって形成される絞り開口の開口面積の方が、上記Ｓ３より小さい状態である。従って、この時点までの絞り開口は、一対の内羽根１７Ａｂ，１７Ａｃの内縁部によって形成されていることとなる。
【０１２１】
そして、上記一対の内羽根１７Ａｂ，１７Ａｃが、羽根駆動レバー１９によって、さらに開方向へとに駆動され、上記一対の内羽根１７Ａｂ，１７Ａｃが、上記一対の外羽根１７Ａａ，１７Ａｄを追い越した時点（図１４において、羽根駆動レバー回転角θ３以降。）において、上記開口部は全開状態となり、このとき、上記絞り開口は、一対の外羽根１７Ａａ，１７Ａｄの内縁部によって形成されていることとなる。
【０１２２】
従って、図１４に示すように、一対の外羽根１７Ａａ，１７Ａｄが、開側ストッパ部に衝突し、バウンド現象が発生したとしても、一対の外羽根１７Ａａ，１７Ａｄの内縁部によって開口部が形成されるようになるまでには、若干の時間的ズレが存在することとなるので、一対の外羽根１７Ａａ，１７Ａｄのバウンド現象が充分減衰して安定してから、上記一対の外羽根１７Ａａ，１７Ａｄの内縁部によって絞り開口を形成するようにすることが可能となる。
【０１２３】
以上説明したように上記第２実施例によれば、上述の第１実施例と同様の効果を得ることができると共に、一対の外羽根１７Ａａ，１７Ａｄを常に開方向に付勢する付勢手段である付勢バネ２２を配設することで、上記一対の外羽根１７Ａａ，１７Ａｄが、開側ストッパ部に衝突した際に生ずるバウンド現象の影響を受けることなく、高精度に開口面積を確保することができる。
【０１２４】
図１５は、本発明の第３実施例の遮光装置が適用されたカメラ等の撮影光学系を有するレンズ鏡筒の縦断面図を示すものである。なお、図１５においては、レンズ鏡筒の上半部のみを図示し、略対称形状である下半部は省略している。また、上記レンズ鏡筒は、これを適用するカメラの非撮影時（不使用時、携帯時等）においてリセット位置にセットされる構成のものであって、図１５においては、上記レンズ鏡筒が、リセット位置にある状態を示しているものである（詳細は後述する。）。
【０１２５】
また、図１６は、この第３実施例の遮光装置を構成する遮光羽根等について示す図であって、開口部が複数の遮光羽根によって遮蔽されている閉状態を示すものである。なお、図１６においては、上述の第１、第２実施例と同様に、図面の繁雑化を避けるために、上記一対の内羽根と上記一対の外羽根とを、それぞれ一方の側のみ図示し、他方の側については、略対称位置に配設されるものとして、その図示を省略している。
【０１２６】
図１５に示すように、第１群レンズ１を保持する第１レンズ保持枠３の後端側に、遮光羽根を係止する係止ピン３ａが配設されており、遮光装置ベース部５の基部５ａには、上記係止ピン３ａと対向する位置において、上記遮光装置ベース部５ｃを貫通する逃げ孔５ｃが設けられている。
【０１２７】
また、図１６に示すように、上記係止ピン３ａに対応して、外羽根１７Ｂａの外縁部において、凹部２７が配設されており、上記係止ピン３ａが、上記遮光羽根ベース部５を貫通して遮光羽根の回動する平面内に突出する場合に、これに係合するようになっている。
【０１２８】
そして、遮光羽根の全閉状態において、上記凹部１７と係止ピン３ａとが係合することによって、外羽根１７Ｂａの開方向への回動動作が規制されるようになっている。
【０１２９】
このようにして、外羽根１７Ｂａの開動作が規制されることによって、羽根駆動レバー（図示せず）の回動も規制されると同時に、他の遮光羽根の開動作も規制されることとなり、従って、すべての遮光羽根の開動作が規制されるようになっている。
【０１３０】
ところで、上述の第１実施例によって説明したように、焦点調整（フォーカシング）動作は、上記第１レンズ保持枠３を、変倍（ズーミング）動作とは独立して、遮光装置ベース部５，６内において、第１シャフト１２に沿って光軸方向に摺動させることによって行なわれるが、上記レンズ鏡筒を適用するカメラの非撮影時（不使用時、携帯時等）においては、上記第１レンズ保持枠３は、図１５に示すように、遮光装置ベース部５内において、その最後端の位置、即ち、リセット位置にセットされ、このときの状態は、焦点調節時の移動範囲外にある状態である。
【０１３１】
一方、写真撮影が行なわれる場合には、カメラ本体内からの測距情報等に基いて、上記第１レンズ保持枠３が、焦点調節範囲内に所定量だけ移動された後、遮光装置の開閉動作が行なわれることにより、写真撮影動作が行なわれることとなる。そして、写真撮影動作の終了後に、上記第１レンズ保持枠３は、再びリセット位置に復帰されるようになっている。
【０１３２】
このように、上記第１レンズ保持枠３がリセット位置にあるときには、上記係止ピン３ａが上記遮光装置ベース部５を貫通して、上記遮光羽根の回動平面内に突出するようになっている。
【０１３３】
従って、この状態において、上記係止ピン３ａによる遮光羽根の開動作の規制が行なわれることとなる。
【０１３４】
即ち、写真撮影が行なわれる際には、上記第１レンズ保持枠３は焦点調節範囲内にある状態であるので、上記係止ピン３ａが遮光羽根の回動平面から退避され、通常の遮光羽根開閉動作が行なわれることとなる一方、非撮影時においては、上記第１レンズ保持枠３は焦点調節範囲外にある状態であるので、上記係止ピン３ａが遮光羽根の回動平面内に突出することにより、上記遮光羽根の開動作が規制されることとなる。
【０１３５】
以上説明したように上記第３実施例によれば、上述の第１、第２実施例と同様の効果を得ることができると共に、撮影光学系の変倍位置にかかわらず、非撮影時においては上記第１レンズ保持枠３の係止ピン３ａによって、遮光装置の開動作が確実に規制されるようになっているので、例えば、カメラに外力が加わった等の理由によって、不用意に遮光装置が開動作してしまうことによって、開口部が開口され、フィルムが意図しない露光がなされてしまう等といった事故を防止することができる。
【０１３６】
以上詳述した実施例においては、羽根駆動レバーによって互いに逆方向に移動される一対の内羽根、一対の外羽根によって構成されるシャッタ機構に、本発明の遮光装置を適用した場合について説明したが、例えば、図１７、図１８に示すように、遮光羽根開閉駆動用リング部材３１等によって、複数枚の羽根をそれぞれの回転軸周りに同一方向に回動させて開閉動作を行なうようにしたシャッタ機構に適用することもできる。なお、図１７は、このシャッタ機構の遮光羽根の閉状態を示しており、また、図１８は、上記シャッタ機構の遮光羽根の開状態を示している。
【０１３７】
また、内羽根と外羽根はそれぞれ２枚ずつである必要はなく、退避スペースに応じて、内羽根と外羽根の枚数を適宜選択することが可能である。この場合において、内羽根と外羽根の枚数は同一でなくても良く、例えば、内羽根を２枚、外羽根を３枚にし、内羽根のそれぞれを駆動するための負荷を外羽根駆動用の負荷よりも小さくし、内羽根の駆動スピードを速くすることも考えられる。
【０１３８】
［付記］
（１）  所定の軸回りに回動されることにより開閉され、閉状態にあるときは撮影光学系を通過する撮影光束の内、少なくとも光軸近傍の光束を遮光し、開状態にあるときは撮影光束の通過経路上から退避される、複数枚の内羽根と、
所定の軸回りに回動されることにより開閉され、閉状態にあるときは撮影光学系を通過する撮影光束の内、主に周辺部の光束を遮光し、開状態にあるときは撮影光束の通過経路上から退避され、上記複数枚の内羽根のそれぞれと略重なり合う、複数枚の外羽根と、
上記複数枚の外羽根の開状態における位置を規定し、上記撮影光学系の変倍動作に連動してこの位置を変更する位置規定手段と、
を具備する遮光装置。
【０１３９】
（２）  所定の軸回りに回動されることにより開閉され、閉状態にあるときは撮影光学系を通過する撮影光束の内、少なくとも光軸近傍の光束を遮光し、開状態にあるときは撮影光束の通過経路上から退避される、複数枚の内羽根と、
所定の軸回りに回動されることにより開閉され、閉状態にあるときは撮影光学系を通過する撮影光束の内、主に周辺部の光束を遮光し、開状態にあるときは撮影光束の通過経路上から退避され、上記複数枚の内羽根のそれぞれと略重なり合う、複数枚の外羽根と、
を具備しており、上記複数枚の内羽根と複数枚の外羽根のそれぞれにおける開閉時の移動量および移動速度は、上記複数枚の内羽根の方が大きく設定されており、開動作時に上記複数枚の内羽根が上記複数枚の外羽根を追い越して移動し、開状態における撮影光束の外周は上記複数枚の外羽根の内縁部により決定されるようにした遮光装置。
【０１４０】
（３）  所定の軸回りに回動されることにより開閉され、閉状態にあるときは撮影光学系を通過する撮影光束の内、少なくとも光軸近傍の光束を遮光し、開状態にあるときは撮影光束の通過経路上から退避される、複数枚の内羽根と、
所定の軸回りに回動されることにより開閉され、閉状態にあるときは撮影光学系を通過する撮影光束の内、主に周辺部の光束を遮光し、開状態にあるときは撮影光束の通過経路上から退避され、上記複数枚の内羽根のそれぞれと略重なり合う、複数枚の外羽根と、
上記複数枚の内羽根のそれぞれに設けられており、羽根駆動レバーと常時カム結合して、この羽根駆動レバーの駆動力を上記複数枚の内羽根に伝達する内羽根カムと、
上記複数枚の外羽根のそれぞれに設けられており、開動作の初期にのみ羽根駆動レバーとカム結合する外羽根カムと、
上記複数枚の外羽根のそれぞれを開方向に付勢しており、開動作の初期以降にこの複数枚の外羽根を移動させる付勢手段と、
を具備する遮光装置。
【０１４１】
（４）  付記１または付記３に記載の遮光装置において、
上記複数枚の内羽根と複数枚の外羽根のそれぞれにおける開閉時の移動量は、上記複数枚の内羽根の方が大きく設定されている。
【０１４２】
（５）  付記１または付記３に記載の遮光装置において、
上記複数枚の内羽根と複数枚の外羽根のそれぞれにおける開閉時の移動速度は、上記複数枚の内羽根の方が大きく設定されている。
【０１４３】
（６）  付記１または付記３に記載の遮光装置において、
開動作時に上記複数枚の内羽根が上記複数枚の外羽根を追い越して移動し、開状態における撮影光束の外周は上記複数枚の外羽根の内縁部により決定される。
【０１４４】
（７）  付記１または付記３に記載の遮光装置において、
上記複数枚の内羽根と複数枚の外羽根のそれぞれにおける開閉時の移動量および移動速度は、上記複数枚の内羽根の方が大きく設定されている。
【０１４５】
（８）  付記１、付記２または付記３に記載の遮光装置において、
上記複数枚の内羽根と複数枚の外羽根のそれぞれにおける開閉時の移動量および移動速度は、上記複数枚の内羽根の方が大きく設定されており、
開動作時に上記複数枚の内羽根が上記複数枚の外羽根を追い越して移動し、開状態における撮影光束の外周は上記複数枚の外羽根の内縁部により決定される。
【０１４６】
（９）  付記１、付記２または付記３に記載の遮光装置において、
上記複数枚の内羽根のそれぞれは、羽根駆動レバーと常時カム結合して、この羽根駆動レバーの駆動力を上記複数枚の内羽根に伝達する内羽根カムを有している。
【０１４７】
（１０）  付記１または付記３に記載の遮光装置において、
上記複数枚の外羽根のそれぞれは、開動作時の初期にのみ羽根駆動レバーとカム結合する外羽根カムを有する。
【０１４８】
（１１）  付記１０に記載の遮光装置において、
上記複数枚の外羽根は開方向に付勢されている。
【０１４９】
（１２）  付記３または付記１１に記載の遮光装置において、
上記複数枚の外羽根は、羽根駆動レバーにより付勢手段の付勢力に抗して閉動作される。
【０１５０】
（１３）  付記２または付記３に記載の遮光装置において、
さらに上記複数枚の外羽根の開状態における位置を規定し、上記撮影光学系の変倍動作に連動して、この位置を変更する位置規定手段を有する。
【０１５１】
（１４）  付記１、付記２または付記３に記載の遮光装置において、
撮影光学系は変倍動作とは独立して光軸方向に進退することにより合焦動作を行なう焦点調節用光学系を有し、この焦点調節用光学系が非撮影状態にある場合に、これを保持する焦点調節用鏡枠の一部が上記複数枚の内羽根と複数枚の外羽根の少なくとも一枚に係合し、これらの開動作を規制する。
【０１５２】
（１５）  付記１４に記載の遮光装置において、
上記焦点調節用鏡枠の一部は突起によって形成される。
【０１５３】
（１６）  付記１４に記載の遮光装置において、
上記焦点調節用光学系は、非撮影状態にある場合は焦点調節時の移動範囲から外れた場所に位置する。
【０１５４】
（１７）  所定の軸回りに回動されることにより開閉され、閉状態にあるときは撮影光学系を通過する撮影光束を遮光し、開状態にあるときは撮影光束の通過経路上から退避される、複数枚の羽根と、
上記複数枚の羽根の開状態における位置を規定し、上記撮影光学系の変倍動作に連動してこの位置を変更する位置規定手段と、
を有する遮光装置において、
上記撮影光学系は、変倍動作とは独立して光軸方向に進退することにより合焦動作を行なう焦点調節用光学系を有し、この焦点調節用光学系が非撮影状態にある場合に、これを保持する焦点調節用鏡枠の一部が上記複数枚の羽根の少なくとも一枚に係合し、これらの開動作を規制するようにした遮光装置。
【０１５５】
【発明の効果】
以上述べたように本発明によれば、複数枚の遮光羽根を有する遮光装置において、撮影光学系の変倍機能に連動して開口部を変位させることで、適用する撮影光学系の光学性能を落とすことなく、開放状態における開口部の開口精度を良好に確保することができると共に、適用される撮影光学系の小形化に寄与することのできる遮光装置を提供することができる。
【図面の簡単な説明】
【図１】本発明の第１実施例の遮光装置が適用されたカメラ等の撮影光学系を有するレンズ鏡筒の縦断面図。
【図２】上記図１の遮光装置の詳細な構成、および、その動作について説明する図であって、遮光装置の開口部が複数の遮光羽根によって遮蔽されている閉状態を示す図。
【図３】上記図１の遮光装置の詳細な構成、および、その動作について説明する図であって、遮光装置の複数の遮光羽根が開口部の外側に退避された開状態を示す図。
【図４】上記図１の遮光装置の概略構成を示す図であって、上述の図１における遮光装置の近傍を拡大して示す要部拡大縦断面図。
【図５】上記図１の遮光装置を支持する遮光装置ベース部の羽根駆動レバー側から見た際の概略図。
【図６】上記図１の撮影光学系により変倍動作が行なわれる際の開放開口部可変リングと羽根駆動レバーの位置関係を示す図であって、撮影光学系が望遠（テレ）側にあるときの開放開口部可変リングの状態を示す図。
【図７】上記図１の撮影光学系により変倍動作が行なわれる際の開放開口部可変リングと羽根駆動レバーの位置関係を示す図であって、撮影光学系が広角（ワイド）側にあるときの開放開口部可変リングの状態を示す図。
【図８】上記図１の遮光装置の羽根駆動レバーの動作と上記一対の内羽根および一対の外羽根の動作について概念的に示す図であって、開口部の全閉状態から全開状態までの変化を示した図。
【図９】上記図１の遮光装置の羽根駆動レバーの動作と上記一対の内羽根および一対の外羽根の動作について概念的に示す図であって、羽根駆動レバーが開放開口部可変カムによって位置規定される際の状態を示す図。
【図１０】本発明の第２実施例の遮光装置の構成、および、その動作について説明する図であって、遮光装置の開口部が複数の遮光羽根によって遮蔽されている閉状態を示す図。
【図１１】上記図１０の遮光装置の構成、および、その動作について説明する図であって、遮光装置の複数の遮光羽根が開口部の外側に退避された開状態を示す図。
【図１２】上記図１０の遮光装置の外羽根に穿設されている外羽根カム近傍を拡大して示す要部拡大図。
【図１３】上記図１０の遮光装置の羽根駆動レバーの動作に対する上記一対の内羽根および一対の外羽根の動作について概念的に示す図であって、開口部の全閉状態から全開状態までの変化を示す図。
【図１４】上記図１０の遮光装置の羽根駆動レバーの動作に対する上記一対の内羽根および一対の外羽根の動作について概念的に示す図であって、羽根駆動レバーが開側ストッパ部によって位置規定される際の状態を示す図。
【図１５】本発明の第３実施例の遮光装置が適用されたカメラ等の撮影光学系を有するレンズ鏡筒の縦断面図。
【図１６】上記図１５の遮光装置を構成する遮光羽根等について示す図であって、開口部が複数の遮光羽根によって遮蔽されている閉状態を示す図。
【図１７】本発明の他の実施例の遮光装置を示す図であって、遮光羽根の閉状態を示す図。
【図１８】上記図１７の遮光装置における、遮光羽根の開状態を示す図。
【符号の説明】
１……第１群レンズ（撮影光学系）
２……第２群レンズ（撮影光学系）
３……第１レンズ保持枠
４……第２レンズ保持枠
１３ａ，１３ｄ……カム溝（外羽根カム）
１３ｂ，１３ｃ……カム溝（内羽根カム）
１６……開口部
１７，３０……遮光装置
１７ａ，１７Ａａ，１７Ｂａ，１７ｄ，１７Ａｄ，１７Ｂｄ……一対の外羽根（遮光羽根）
１７ｂ，１７Ａｂ，１７ｃ，１７Ａｃ……一対の内羽根（遮光羽根）
１９……羽根駆動レバー
２０……駆動ピン
２２……付勢バネ（付勢手段）
３１……遮光羽根開閉駆動用リング部材
【図１】
0003668284.tif 000002
【図２】
0003668284.tif 000003
【図３】
0003668284.tif 000004
【図４】
0003668284.tif 000005
【図５】
0003668284.tif 000006
【図６】
0003668284.tif 000007
【図７】
0003668284.tif 000008
【図８】
0003668284.tif 000009
【図９】
0003668284.tif 000010
【図１０】
0003668284.tif 000011
【図１１】
0003668284.tif 000012
【図１２】
0003668284.tif 000013
【図１３】
0003668284.tif 000014
【図１４】
0003668284.tif 000015
【図１５】
0003668284.tif 000016
【図１６】
0003668284.tif 000017
【図１７】
0003668284.tif 000018
【図１８】
0003668284.tif 000019